(57)【要約】【課題】原稿と用紙とのサイズが異なる場合に、表裏の位置を合わせた両面コピーを容易に行う手段を提供する。【解決手段】表示部と、第１の面とする原稿および第２の面とする原稿をそれぞれ載置する載置部と、前記載置部に載置された原稿を読取る読取部と、前記第１の面と前記第２の面を両面コピーするための用紙のサイズの入力を受付ける操作部と、前記読取部で読取った読取データに基づいて画像データを形成する画像処理部を有する制御部と、を備え、前記制御部は、前記操作部により受付けた入力に基づいて、前記第１の面とする原稿の前記載置部への載置位置および向きと、前記第２の面とする原稿の前記載置部への載置位置および向きを前記表示部に表示する。【選択図】        図３
2019009526.tif 000002
【特許請求の範囲】
【請求項１】
表示部と、
第１の面とする原稿および第２の面とする原稿をそれぞれ載置する載置部と、
前記載置部に載置された原稿を読取る読取部と、
前記第１の面と前記第２の面を両面コピーするための用紙のサイズの入力を受付ける操作部と、
前記読取部で読取った読取データに基づいて画像データを形成する画像処理部を有する制御部と、を備え、
前記制御部は、
前記操作部により受付けた入力に基づいて、前記第１の面とする原稿の前記載置部への載置位置および向きと、前記第２の面とする原稿の前記載置部への載置位置および向きを前記表示部に表示することを特徴とする画像形成装置。
【請求項２】
請求項１に記載の画像形成装置において、
前記操作部により、前記第１の面および第２の面の原稿のサイズの入力を受付け、
前記制御部は、
前記操作部により受付けた用紙および原稿のサイズに基づいて、前記第１の面とする原稿の前記載置部への載置位置および向きと、前記第２の面とする原稿の前記載置部への載置位置および向きを前記表示部に表示することを特徴とする画像形成装置。
【請求項３】
請求項１に記載の画像形成装置において、
前記制御部は、
前記操作部により受付けた用紙のサイズと、前記第１の面とする原稿の読取結果に基づいて、前記第２の面とする原稿の前記載置部への載置位置および向きを前記表示部に表示することを特徴とする画像形成装置。
【請求項４】
請求項１ないし請求項３のいずれか一項に記載の画像形成装置において、
前記載置台の一隅を基準位置として設定し、
前記基準位置に合わせて前記第１の面とする原稿を載置し、
前記第２の面とする原稿は、前記基準位置から離間した位置に載置することを特徴とする画像形成装置。
【請求項５】
請求項１ないし請求項３のいずれか一項に記載の画像形成装置において、
前記載置台の一隅を基準位置として設定し、
前記基準位置に合わせて前記第１の面とする原稿および前記第２の面とする原稿を載置し、
前記制御部の画像処理部は、
前記読取部で読取った読取データを移動させて、両面コピーの表裏の位置を合わせることを特徴とする画像形成装置。
【請求項６】
請求項１ないし請求項５のいずれか一項に記載の画像形成装置において、
前記制御部は、
表裏の位置を合わせる両面コピーが選択されたときに、前記第１の面とする原稿の前記載置部への載置位置および向きと、前記第２の面とする原稿の前記載置部への載置位置および向きを前記表示部に表示することを特徴とする画像形成装置。
【発明の詳細な説明】
【技術分野】
【０００１】
本発明は、原稿をコピーする機能を有する複合機等の画像形成装置に関する。
【背景技術】
【０００２】
従来の画像形成装置は、原稿をコピーする場合に、利用者が載置台に載置した原稿を読取って印刷している（例えば、特許文献１参照。）。
【先行技術文献】
【特許文献】
【０００３】
【特許文献１】特開平０９−２５８６１２号公報（段落０００６、００１１、第１図）
【発明の概要】
【発明が解決しようとする課題】
【０００４】
しかしながら、従来の技術においては、コピーする原稿と用紙のサイズが異なる場合に、表裏の位置を合わせて両面コピーすることが困難になるという問題がある。
本発明は、上記の問題点を解決するためになされたもので、原稿と用紙とのサイズが異なる場合に、表裏の位置を合わせた両面コピーを容易に行う手段を提供することを目的とする。
【課題を解決するための手段】
【０００５】
本発明は、上記課題を解決するために、画像形成装置が、表示部と、第１の面とする原稿および第２の面とする原稿をそれぞれ載置する載置部と、前記載置部に載置された原稿を読取る読取部と、前記第１の面と前記第２の面を両面コピーするための用紙のサイズの入力を受付ける操作部と、前記読取部で読取った読取データに基づいて画像データを形成する画像処理部を有する制御部と、を備え、前記制御部は、前記操作部により受付けた入力に基づいて、前記第１の面とする原稿の前記載置部への載置位置および向きと、前記第２の面とする原稿の前記載置部への載置位置および向きを前記表示部に表示することを特徴とする。
【発明の効果】
【０００６】
これにより、本発明は、原稿と用紙とのサイズが異なる場合であっても、表裏の位置を合わせた両面コピーを容易に行うことができるという効果が得られる。
【図面の簡単な説明】
【０００７】
【図１】実施例１の複合機を示すブロック図
【図２】実施例１の載置台を示す説明図
【図３】実施例１の両面表裏一体コピー処理を示すフローチャート図
【図４】実施例１の処理選択画面の表示例を示す説明図
【図５】実施例１の原稿サイズ等入力依頼画面の表示例を示す説明図
【図６】実施例１の原稿サイズ等入力画面の表示例を示す説明図
【図７】実施例１の長辺綴じおもて面載置位置案内画面の表示例を示す説明図
【図８】実施例１の長辺綴じ裏面載置位置案内画面の表示例を示す説明図
【図９】実施例１の短辺綴じおもて面載置位置案内画面の表示例を示す説明図
【図１０】実施例１の短辺綴じ裏面載置位置案内画面の表示例を示す説明図
【図１１】実施例２の複合機を示すブロック図
【図１２】実施例２の両面表裏一体コピー処理を示すフローチャート図
【図１３】実施例２の長辺綴じおもて面載置位置案内画面の表示例を示す説明図
【図１４】実施例２の長辺綴じ裏面載置位置案内画面の表示例を示す説明図
【図１５】実施例２の短辺綴じおもて面載置位置案内画面の表示例を示す説明図
【図１６】実施例２の短辺綴じ裏面載置位置案内画面の表示例を示す説明図
【発明を実施するための形態】
【０００８】
以下に、図面を参照して本発明による画像形成装置の実施例について説明する。
【実施例１】
【０００９】
以下に、図１ないし図１０を用いて本実施例の複合機について説明する。
画像形成装置としての複合機１は、コピーを行う原稿を読取り、読取った原稿の画像データを印刷用の媒体としての用紙に印刷する機能等を有しており、図１に示す構成を備えている。
【００１０】
複合機１の制御部３は、複合機１内の各部を制御して、コピー処理等を実行する機能等を有している。
記憶部４は、制御部３が実行するプログラムやそれに用いる各種のデータおよび制御部３による処理結果等が格納される。
【００１１】
読取部５は、載置台６（図２参照）上に載置された原稿の原稿面を、イメージセンサ等の読取センサ５ａで、読取データとしてのライン状データを読取り、読取ったライン状データを制御部３へ送出する機能等を有している。
また、読取センサ５ａは、センサ搬送部５ｂによって一方向に往復移動される。
【００１２】
表示部７は、ＬＣＤ等の表示画面を備えており、表示画面に処理選択画面や各種の入力画面、利用者に対する情報等を表示する機能を有している。
操作部８は、カーソルキー、カーソルキーの中央に設けられた「確認」キー、複合機１へ供給する電源の電源スイッチ、「モノクロ」キー、「カラー」キー等の選択キー等の各種の操作キーを備えており、利用者からの操作入力を受付ける機能を有している。
【００１３】
印刷部９は、制御部３から送出された印刷データを用紙の片面および両面に印刷する機能等を有している。
また、印刷部９は、両面印刷を行うときに用紙の表裏を反転させる、スイッチバック式等の用紙反転機構を備えている。
【００１４】
画像処理部１１は、読取部３から受取ったライン状データを基に画像データを形成し、形成した画像データを印刷データに変換する機能を有するソフトウェアと制御部３により形成された機能手段である。
原稿位置算出部１２は、両面コピーを行うときに、原稿サイズと用紙サイズと綴じ位置から、載置台６上に置く原稿の原稿面の載置位置と向きを算出する機能を有するソフトウェアと制御部３により形成された機能手段である。
【００１５】
本実施例の載置台６は、図２に示すように、原稿の原稿面を接触させて載置する、載置部としての原稿ガラス１４が設けられ、原稿ガラス１４の一隅は、原稿を載置するときの基準位置１５として設定されている。
【００１６】
また、原稿ガラス１４には、その短辺に沿って、基準位置１５を起点として各用紙サイズの短辺の長さに相当する位置に、それぞれの用紙の名称を付した縦目盛１６が設けられると共に、長辺に沿って、基準位置１５を起点として各用紙サイズの長辺の長さに相当する位置に、それぞれの用紙の名称を付した横目盛１７が設けられている。
【００１７】
なお、本実施例の用紙サイズにおける縦方向は、用紙の短辺に沿った方向である短手方向のことをいい、横方向は、縦方向の直交方向、つまり用紙の長辺に沿った方向である長手方向のことをいう。
【００１８】
また、原稿サイズにおける縦方向は、原稿の原稿面に文字列や記号列が存在する場合は、文字または記号の上下方向をいい、原稿面に文字等が存在しない風景等の場合は天地方向、幾何学模様等の場合は利用者が設定した上下方向をいうこととし、横方向は、縦方向の直交方向のことをいう。
【００１９】
上記の複合機１の記憶部４には、コピー機能やファックス機能、スキャンデータの作成機能、ファックス通信や通信ケーブルを介して受信した画像データを用紙に印刷するプリント機能を有する通常の印刷処理プログラムに、利用者による原稿サイズ、用紙サイズ、綴じ位置の入力を受付け、これを基に、両面コピーの、第１の面としてのおもて面とする原稿の原稿面の載置位置および向きを算出して表示部７に表示し、第２の面としての裏面とする原稿の原稿面の載置位置および向きを算出して表示部７に表示する両面表裏一体コピー処理を行う機能を有するアプリケーションプログラムが追加された業務処理プログラムが予め格納されており、制御部３が実行する業務処理プログラムのステップにより本実施例の複合機１の各機能手段が形成される。
【００２０】
以下に、図３のフローチャートにＳで示すステップに従って本実施例の複合機１による両面表裏一体コピー処理について説明する。
【００２１】
Ｓ１：利用者が、操作部８の電源スイッチを押下して複合機１へ電源を投入すると、複合機１の記憶部４に格納されている業務処理プログラムが自動的に起動され、複合機１の制御部３は、表示部７の表示画面に、図４に示す初期画面としての処理選択画面が表示しながら利用者による処理の選択を待って待機し、処理が選択されたときにステップＳ２へ移行する。
【００２２】
処理選択画面には、読取部５で読取った原稿の画像データの用紙への印刷を選択するための「コピー」ボタン、読取った原稿の画像データの送信を選択するための「ファックス」ボタン、読取った原稿の画像データのデータファイルの作成を選択するための「スキャン」ボタン、通信ケーブル等を介して受信した画像データの用紙への印刷を選択するための「プリント」ボタン、原稿と用紙サイズが相違する場合に用紙の表裏の対応する位置に位置を合わせて表裏一体コピー行う原稿・用紙サイズ違い両面表裏一体コピーを選択するための「特殊コピー」ボタン等の各種の選択ボタンが表示される。
【００２３】
本実施例では、利用者は原稿・用紙サイズ違い両面表裏一体コピーを選択し、操作部８のカーソルキー等によって「特殊コピー」ボタンを押下する。
【００２４】
「特殊コピー」ボタンが選択されると、制御部３は、両面表裏一体コピー処理を開始し、原稿サイズ、用紙サイズ、綴じ位置等の入力を促すために、次画面として、原稿や用紙のサイズおよび綴じ位置を入力するための「原稿、用紙サイズ入力」ボタン、処理の取止めを指示するための「キャンセル」ボタン等を表示した、図５に示す原稿サイズ等入力依頼画面を表示する。
利用者は、表示された画面から操作部８のカーソルキー等によって「原稿、用紙サイズ入力」ボタンを押下する。
【００２５】
Ｓ２：「原稿、用紙サイズ入力」ボタンの選択を認識した制御部３は、表示部７の表示画面に、図６に示す原稿サイズ等入力画面を表示する。
原稿サイズ等入力画面には、原稿サイズ、用紙トレイ、綴じ位置の入力欄、入力終了を指示するための「ＯＫ」ボタン、処理の取止めを指示するための「キャンセル」ボタン等が表示される。
【００２６】
利用者は、操作部８のカーソルキー等により各入力欄を選択して両面表裏一体コピーを行う原稿サイズ、用紙サイズ、綴じ位置を入力する。
【００２７】
例えば、原稿サイズの入力を行う場合、利用者が、カーソルキー等によって原稿サイズの入力欄を選択すると、次画面として、原稿サイズの縦長さ、横長さの入力欄等が表示され、利用者が、テンキー等によって原稿の縦横の長さを入力して確定操作を行うと、制御部３は、画面を原稿サイズ等入力画面に切替え、原稿サイズの入力欄の下方に入力された縦横の長さを表示する。
【００２８】
なお、図６に示すハッチング部は、利用者による入力結果を表している。
【００２９】
また、本実施例の長辺綴じは、おもて面を印刷した用紙の長辺を上下方向とし、用紙に向かって左側の長辺を綴じることをいい、短辺綴じは、おもて面を印刷した用紙の短辺を上下方向とし、用紙に向かって右側の短辺を綴じることをいう。
【００３０】
Ｓ３：操作部８により原稿サイズ、用紙サイズ、綴じ位置の入力を受付けた制御部３は、入力された原稿サイズと用紙サイズの縦長さおよび横長さをそれぞれ比較し、原稿サイズの縦横の長さのいずれもが、用紙サイズの縦横の長さ以下の場合はステップＳ６へ移行する。
原稿サイズの縦横の長さの少なくとも一方が、用紙サイズの当該長さを超えている場合はステップＳ４へ移行する。
【００３１】
Ｓ４：原稿の一部または全部が用紙サイズを超えていると判定した制御部３は、表示部７の表示画面に、原稿サイズが用紙サイズを超えている旨の文言、はみ出しを許容して印刷の継続を指示するための「継続」ボタン、処理の取止めを指示するための「キャンセル」ボタン等を表示した、はみ出し印刷可否選択画面を表示する。
利用者は、はみ出しを許容する場合は「継続」ボタンを、印刷を取止める場合は「キャンセル」ボタンを、操作部８のカーソルキー等によって押下する。
【００３２】
Ｓ５：利用者による選択を受付けた制御部３は、「継続」ボタンが選択された場合はステップＳ６へ移行する。「キャンセル」ボタンが選択された場合は、今回の両面表裏一体コピー処理を終了させてステップＳ１へ戻り、表示部７の表示画面に処理選択画面を表示して待機する。
【００３３】
なお、本実施例において表示される各画面から「キャンセル」ボタンが押下された場合も同様である。
【００３４】
Ｓ６：ステップＳ４において、原稿サイズが用紙サイズ以下と判定した、またはステップＳ５においてはみ出し印刷を実行すると判定した制御部３は、入力された綴じ位置が長辺綴じの場合はステップＳ７へ移行する。入力された綴じ位置が短辺綴じの場合はステップＳ１８へ移行する。
【００３５】
Ｓ７：入力された綴じ位置が長辺綴じと認識した制御部３は、原稿位置算出部１２によって、入力された用紙サイズ、原稿サイズを基に、長辺綴じにおけるおもて面の載置位置および向きを算出する。
【００３６】
すなわち、原稿位置算出部１２は、原稿の上辺がコピー後に用紙の綴じ位置の反対側の長辺に沿う向きとするために、載置台６の原稿ガラス１４の基準位置１５に、コピー後におもて面となる原稿の上隅の一方を合わせ、原稿の縦方向の上辺を原稿ガラス１４の横目盛１７の方向に沿わせ、一方の側辺を縦目盛１６の方向に沿わせた、原稿の形状を原稿ガラス１４の形状内に配置した載置位置の座標、原稿の向きを示す文字（本説明では「表」）からなる表示データを生成し、その表示データを制御部３へ送出する。はみ出し印刷が許容されている場合も同様である。
【００３７】
Ｓ８：載置位置の表示データを受取った制御部３は、その表示データを基に、表示部７の表示画面に、図７に示す長辺綴じおもて面載置位置案内画面を表示してステップＳ９へ移行する。
【００３８】
長辺綴じおもて面載置位置案内画面には、おもて面とする原稿の載置を促す旨の文言、上記ステップＳ２で入力された原稿サイズ（縦９ｃｍ、横５．５ｃｍ）の形状が、用紙サイズ（Ａ６）の形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【００３９】
利用者は、表示された案内図に従って、おもて面とする原稿の原稿面を原稿ガラス１４に接触させて載置し、操作部８のカーソルキー等によって「ＯＫ」ボタンを押下する。
【００４０】
Ｓ９：長辺綴じおもて面載置位置案内画面の表示後に「ＯＫ」ボタンの押下を待って待機していた制御部３は、「ＯＫ」ボタンが押下されたときにステップＳ９へ移行する。「ＯＫ」ボタンが押下されない場合は、長辺綴じおもて面載置位置案内画面を表示しながら「ＯＫ」ボタンの押下を待って待機する。
【００４１】
Ｓ１０：「ＯＫ」ボタンの押下を認識した制御部３は、読取部５に読取指令を送出し、読取部５は、読取センサ５ａをセンサ搬送部６ｂにより移動させて原稿ガラス１４上のおもて面とする原稿を読取り、読取ったライン状データを制御部３へ送出する。
【００４２】
Ｓ１１：読取部５から原稿のライン状データを受取った制御部３は、画像処理部１１によって、受取ったライン状データを基に、おもて面とする原稿の印刷データを生成する。
すなわち、画像処理部１１は、ライン状データを繋ぎ合わせて画像データを形成し、形成した画像データを、印刷部９の図示しない画像形成ユニット別に振分けたおもて面の印刷データを生成し、その印刷データを制御部３へ送出する。
【００４３】
印刷データ受取った制御部３は、受取ったおもて面の印刷データを記憶部４に保存してステップＳ１２へ移行する。
【００４４】
Ｓ１２：おもて面の印刷データを保存した制御部３は、原稿位置算出部１２によって、入力された用紙サイズ、原稿サイズを基に、長辺綴じにおける裏面の載置位置および向きを算出する。
【００４５】
すなわち、原稿位置算出部１２は、原稿の上辺がコピー後に用紙の綴じ位置の反対側の長辺に沿う向きとするために、載置台６の原稿ガラス１４の縦目盛１６の用紙サイズ（本説明ではＡ６）の位置に、コピー後に裏面となる原稿の上隅の一方を合わせ、原稿の縦方向の上辺を原稿ガラス１４の横目盛１７に沿った方向に伸張させ、一方の側辺を基準位置１５に向かって縦目盛１６の方向に沿わせた、原稿の形状を原稿ガラス１４の形状内に配置した載置位置の座標、原稿の向きを示す文字（本説明では「１８０度回転させた裏」）からなる表示データを生成し、その表示データを制御部３へ送出する。はみ出し印刷が許容されている場合も同様である。
【００４６】
Ｓ１３：載置位置の表示データを受取った制御部３は、その表示データを基に、表示部７の表示画面に、図８に示す長辺綴じ裏面載置位置案内画面を表示してステップＳ９へ移行する。
【００４７】
長辺綴じ裏面載置位置案内画面には、裏面とする原稿の載置を促す旨の文言、上記ステップＳ２で入力された原稿サイズの形状が、用紙サイズの形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
利用者は、表示された案内図に従って、裏面とする原稿の原稿面を１８０度回転させて、おもて面の載置位置から離間した位置の原稿ガラス１４上の載置位置に載置し、操作部８のカーソルキー等によって「ＯＫ」ボタンを押下する。
【００４８】
Ｓ１４：長辺綴じ裏面載置位置案内画面の表示後に「ＯＫ」ボタンの押下を待って待機していた制御部３は、「ＯＫ」ボタンが押下されたときにステップＳ１５へ移行する。「ＯＫ」ボタンが押下されない場合は、長辺綴じ裏面載置位置案内画面を表示しながら「ＯＫ」ボタンの押下を待って待機する。
【００４９】
Ｓ１５：「ＯＫ」ボタンの押下を認識した制御部３は、読取部５に読取指令を送出し、読取部５は、読取センサ５ａをセンサ搬送部６ｂにより移動させて原稿ガラス１４上の裏面とする原稿を読取り、読取ったライン状データを制御部３へ送出する。
【００５０】
Ｓ１６：読取部５から原稿のライン状データを受取った制御部３は、画像処理部１１によって、受取ったライン状データを基に、裏面とする原稿の印刷データを生成する。
すなわち、画像処理部１１は、ライン状データを繋ぎ合わせて画像データを形成し、形成した画像データを、印刷部９の図示しない画像形成ユニット別に振分けた裏面の印刷データを生成し、その印刷データを制御部３へ送出する。
【００５１】
Ｓ１７：印刷データを受取った制御部３は、記憶部４に保存したおもて面の印刷データを読出し、受取った裏面の印刷データと読出したおもて面の印刷データを付した印刷指令を印刷部９へ送出し、印刷部９からの印刷終了通知を待って待機する。
【００５２】
印刷指令を受取った印刷部９は、内蔵している用紙（トレイ１のＡ６）を１枚繰出してそのおもて面に、印刷指令のおもて面の印刷データを印刷し、その後に図示しない反転機構によりおもて面の印刷を終えた用紙の表裏を反転させ、反転させた裏面に印刷指令の裏面の印刷データを印刷して両面印刷を終えた用紙を排出し、その後に制御部３へ印刷終了通知を送出する。
【００５３】
なお、本実施例の印刷部９における用紙の搬送方向は、用紙の縦方向、つまり短手方向である。
印刷終了通知を受取った制御部３は、今回の両面表裏一体コピー処理を終了させてステップＳ１へ戻り、表示部７の表示画面に処理選択画面を表示して待機する。
【００５４】
Ｓ１８：一方、上記ステップＳ６において、入力された綴じ位置が短辺綴じと認識した制御部３は、原稿位置算出部１２によって、入力された用紙サイズ、原稿サイズを基に、短辺綴じにおけるおもて面の載置位置および向きを算出する。
【００５５】
すなわち、原稿位置算出部１２は、原稿の縦方向の一方の側辺がコピー後に用紙の綴じ位置の反対側の短辺に沿う向きとするために、上記ステップＳ７と同様にして、原稿の形状を原稿ガラス１４の形状内に配置した載置位置の座標、原稿の向きを示す文字（本説明では「表」）からなる表示データを生成し、その表示データを制御部３へ送出する。はみ出し印刷が許容されている場合も同様である。
【００５６】
Ｓ１９：載置位置の表示データを受取った制御部３は、その表示データを基に、表示部７の表示画面に、図９に示す短辺綴じおもて面載置位置案内画面を表示してステップＳ２０へ移行する。
【００５７】
短辺綴じおもて面載置位置案内画面には、おもて面とする原稿の載置を促す旨の文言、上記ステップＳ２で入力された原稿サイズの形状が、用紙サイズの形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【００５８】
利用者は、表示された案内図に従って、おもて面とする原稿の原稿面を原稿ガラス１４に接触させて載置し、操作部８のカーソルキー等によって「ＯＫ」ボタンを押下する。
【００５９】
Ｓ２０：短辺綴じおもて面載置位置案内画面の表示後に「ＯＫ」ボタンの押下を待って待機していた制御部３は、「ＯＫ」ボタンが押下されたときにステップＳ２１へ移行する。「ＯＫ」ボタンが押下されない場合は、短辺綴じおもて面載置位置案内画面を表示しながら「ＯＫ」ボタンの押下を待って待機する。
【００６０】
Ｓ２１：「ＯＫ」ボタンの押下を認識した制御部３は、読取部５に読取指令を送出し、読取部５は、読取センサ５ａをセンサ搬送部６ｂにより移動させて原稿ガラス１４上のおもて面とする原稿を読取り、読取ったライン状データを制御部３へ送出する。
【００６１】
Ｓ２２：読取部５から原稿のライン状データを受取った制御部３は、画像処理部１１によって、受取ったライン状データを基に、おもて面とする原稿の印刷データを生成する。
【００６２】
すなわち、画像処理部１１は、上記ステップＳ１１と同様にしておもて面の印刷データを生成し、その印刷データを制御部３へ送出する。
印刷データを受取った制御部３は、受取ったおもて面の印刷データを記憶部４に保存してステップＳ２３へ移行する。
【００６３】
Ｓ２３：おもて面の印刷データを保存した制御部３は、原稿位置算出部１２によって、入力された用紙サイズ、原稿サイズを基に、短辺綴じにおける裏面の載置位置および向きを算出する。
【００６４】
すなわち、原稿位置算出部１２は、原稿の縦方向の一方の側辺がコピー後に用紙の綴じ位置の反対側の短辺に沿う向きとするために、載置台６の原稿ガラス１４の横目盛１７の用紙サイズ（本説明ではＡ６）の位置に、コピー後に裏面となる原稿の上隅の一方を合わせ、原稿の縦方向の上辺を基準位置１５に向かって横目盛１７に沿わせ、一方の側辺を縦目盛１６の方向に沿わせて伸張させた、原稿の形状を原稿ガラス１４の形状内に配置した載置位置の座標、原稿の向きを示す文字（本説明では「裏」）からなる表示データを生成し、その表示データを制御部３へ送出する。はみ出し印刷が許容されている場合も同様である。
【００６５】
Ｓ２４：載置位置の表示データを受取った制御部３は、その表示データを基に、表示部７の表示画面に、図１０に示す短辺綴じ裏面載置位置案内画面を表示してステップＳ２５へ移行する。
【００６６】
短辺綴じ裏面載置位置案内画面には、裏面とする原稿の載置を促す旨の文言、上記ステップＳ２で入力された原稿サイズの形状が、用紙サイズの形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【００６７】
利用者は、表示された案内図に従って、裏面とする原稿の原稿面をおもて面と同じ向きにして、おもて面の載置位置から離間した位置の原稿ガラス１４上に載置位置に載置し、操作部８のカーソルキー等によって「ＯＫ」ボタンを押下する。
【００６８】
Ｓ２５：短辺綴じ裏面載置位置案内画面の表示後に、「ＯＫ」ボタンの押下を待って待機していた制御部３は、「ＯＫ」ボタンが押下されたときにステップＳ２６へ移行する。「ＯＫ」ボタンが押下されない場合は、短辺綴じ裏面載置位置案内画面を表示しながら「ＯＫ」ボタンの押下を待って待機する。
【００６９】
Ｓ２６：「ＯＫ」ボタンの押下を認識した制御部３は、読取部５に読取指令を送出し、読取部５は、読取センサ５ａをセンサ搬送部６ｂにより移動させて原稿ガラス１４上の裏面とする原稿を読取り、読取ったライン状データを制御部３へ送出する。
【００７０】
Ｓ２７：読取部５から原稿のライン状データを受取った制御部３は、画像処理部１１によって、受取ったライン状データを基に、裏面とする原稿の印刷データを生成する。
すなわち、画像処理部１１は、上記ステップＳ１６と同様にして裏面の印刷データを生成し、その印刷データを制御部３へ送出する。
【００７１】
Ｓ２８：印刷データ受取った制御部３は、記憶部４に保存したおもて面の印刷データを読出し、受取った裏面の印刷データと読出したおもて面の印刷データを付した印刷指令を印刷部９へ送出し、印刷部９からの印刷終了通知を待って待機する。
【００７２】
印刷指令を受取った印刷部９は、上記ステップＳ１７と同様にして、両面印刷を終えた用紙を排出し、その後に制御部３へ印刷終了通知を送出する。
印刷終了通知を受取った制御部３は、今回の両面表裏一体コピー処理を終了させてステップＳ１へ戻り、表示部７の表示画面に処理選択画面を表示して待機する。
【００７３】
このようにして、本実施例の複合機１による両面表裏一体コピー処理の処理動作が実行される。
【００７４】
以上説明したように、本実施例では、原稿サイズと用紙サイズが相違する場合において両面コピーを行うときに、原稿サイズと用紙サイズと綴じ位置を基に、おもて面とする原稿の載置位置と向き、および裏面とする原稿の載置位置と向きを算出して、利用者に案内するので、原稿と用紙とのサイズが異なる場合であっても、表裏の位置を合わせた両面コピーを容易に行うことができる。
【００７５】
このことは、名刺の表裏、運転免許証等の表裏に情報が記された原稿の表裏の位置を合わせてコピーする場合に、特に有効である
【実施例２】
【００７６】
以下に、図１１ないし図１６を用いて本実施例の複合機について説明する。なお上記実施例１と同様の部分は、同一の符号を付してその説明を省略する。
【００７７】
本実施例の制御部３には、原稿サイズと用紙サイズと綴じ位置から原稿位置算出部１２により算出され、表示部７により利用者に案内した載置位置を基に、画像処理部１１で形成した画像データの表裏の位置を合わせるための移動量を算出する機能を有するソフトウェアにより形成された機能手段である原稿移動量算出部２１が形成されている。
【００７８】
本実施例の複合機１の記憶部４には、上記実施例１と同様の通常の印刷処理プログラムに、利用者による原稿サイズ、用紙サイズ、綴じ位置の入力を受付け、これを基に、両面コピーのおもて面とする原稿の原稿面の載置位置および向きを算出して表示部７に表示し、裏面とする原稿の原稿面の載置位置および向きを算出して表示部７に表示し、表示した載置位置を基に読取った画像の位置を移動させて両面表裏一体コピー処理を行う機能を有するアプリケーションプログラムが追加された業務処理プログラムが予め格納されており、制御部３が実行する業務処理プログラムのステップにより本実施例の複合機１の各機能手段が形成される。
【００７９】
以下に、図１２のフローチャートにＳＡで示すステップに従って本実施例の複合機１による両面表裏一体コピー処理について説明する。
本実施例のステップＳＡ１〜ＳＡ６の処理動作は、上記実施例１のステップＳ１〜Ｓ６の処理動作と同様であるので、その説明を省略する。
【００８０】
ＳＡ７：入力された綴じ位置が長辺綴じと認識した制御部３は、入力された用紙サイズ、原稿サイズを基に、原稿位置算出部１２によって、長辺綴じにおけるおもて面の載置位置および向きを算出する。
【００８１】
すなわち、原稿位置算出部１２は、原稿の上辺がコピー後に用紙の綴じ位置の反対側の長辺に沿う向きとするために、上記実施例１のステップＳ７と同様にして、原稿の形状を原稿ガラス１４の形状内に配置した載置位置の座標、原稿の向きを示す文字（本説明では「表」）からなる表示データを生成し、その表示データを制御部３へ送出する。はみ出し印刷が許容されている場合も同様である。
【００８２】
ＳＡ８：載置位置の表示データを受取った制御部３は、その表示データを基に、表示部７の表示画面に、図１３に示す長辺綴じおもて面載置位置案内画面を表示してステップＳＡ９へ移行する。
【００８３】
長辺綴じおもて面載置位置案内画面には、おもて面とする原稿の載置を促す旨の文言、上記ステップＳＡ２で入力された原稿サイズ（縦９ｃｍ、横５．５ｃｍ）の形状が、用紙サイズ（Ａ６）の形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【００８４】
利用者は、表示された案内図に従って、おもて面とする原稿の原稿面を原稿ガラス１４に接触させて載置し、操作部８のカーソルキー等によって「ＯＫ」ボタンを押下する。
その後のステップＳＡ９〜ＳＡ１１の処理動作は、上記実施例１のステップＳ９〜Ｓ１１の処理動作と同様であるので、その説明を省略する。
【００８５】
ＳＡ１２：おもて面の印刷データを保存した制御部３は、原稿位置算出部１２によって、入力された用紙サイズ、原稿サイズを基に、長辺綴じにおける裏面の載置位置および向きを算出する。
【００８６】
すなわち、原稿位置算出部１２は、原稿の上辺がコピー後に用紙の綴じ位置の反対側の長辺に沿う向きとする基データを取得するために、載置台６の原稿ガラス１４の基準位置１５に、コピー後におもて面となる原稿の下隅の一方を合わせ、原稿の縦方向の下辺を原稿ガラス１４の横目盛１７の方向に沿わせ、一方の側辺を縦目盛１６の方向に沿わせた、原稿の形状を原稿ガラス１４の形状内に配置した載置位置の座標、原稿の向きを示す文字（本説明では「１８０度回転させた裏」）からなる表示データを生成し、その表示データを制御部３へ送出する。はみ出し印刷が許容されている場合も同様である。
【００８７】
ＳＡ１３：載置位置の表示データを受取った制御部３は、その表示データを基に、表示部７の表示画面に、図１４に示す長辺綴じ裏面載置位置案内画面を表示してステップＳＡ９へ移行する。
【００８８】
長辺綴じ裏面載置位置案内画面には、裏面とする原稿の載置を促す旨の文言、上記ステップＳＡ２で入力された原稿サイズの形状が、用紙サイズの形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【００８９】
利用者は、表示された案内図に従って、裏面とする原稿の原稿面を１８０度回転させて、おもて面と同じ載置位置に載置し、操作部８のカーソルキー等によって「ＯＫ」ボタンを押下する。
【００９０】
ＳＡ１４：長辺綴じ裏面載置位置案内画面の表示後に、「ＯＫ」ボタンの押下を待って待機していた制御部３は、「ＯＫ」ボタンが押下されたときにステップＳＡ１５へ移行する。「ＯＫ」ボタンが押下されない場合は、長辺綴じ裏面載置位置案内画面を表示しながら「ＯＫ」ボタンの押下を待って待機する。
【００９１】
ＳＡ１５：「ＯＫ」ボタンの押下を認識した制御部３は、読取部５に読取指令を送出し、読取部５は、読取センサ５ａをセンサ搬送部６ｂにより移動させて原稿ガラス１４上の裏面とする原稿を読取り、読取ったライン状データを制御部３へ送出する。
【００９２】
ＳＡ１６：読取部５から原稿のライン状データを受取った制御部３は、そのライン状データを記憶部４に保存し、原稿移動量算出部２１によって、裏面の画像データを、上記ステップＳＡ１２で生成したおもて面の印刷データと表裏の位置を合わせて印刷するための移動量を算出する。
【００９３】
すなわち、原稿移動量算出部２１は、上記ステップＳＡ１３で表示した裏面とする原稿の載置位置の座標位置を、原稿の上辺がコピー後に用紙の綴じ位置の反対側の長辺に沿う向きとなる座標位置にするために、載置位置の縦方向の基準位置１５の反対側の角の縦方向の座標位置（縦座標という。）から、縦目盛１６の用紙サイズ（本説明ではＡ６）の位置の縦座標を減じて縦方向の座標差を求め、この縦方向の座標差を原稿移動量として制御部３へ送出する。はみ出し印刷が許容されている場合も同様である。
【００９４】
ＳＡ１７：原稿移動量を受取った制御部３は、記憶部４に保存したライン状データを読出し、画像処理部１１によって、読出した裏面のライン状データと受取った原稿移動量を基に、裏面とする原稿の印刷データを生成する。
【００９５】
すなわち、画像処理部１１は、ライン状データを繋ぎ合わせて画像データを形成し、形成した画像データの各縦座標位置から原稿移動量を減じ、画像データの座標位置を縦方向に平行移動させて上記実施例１の図８に示した載置位置から読取った画像データと同等の画像データとし、移動させた画像データを、印刷部９の図示しない画像形成ユニット別に振分けた裏面の印刷データを生成し、その印刷データを制御部３へ送出する。
【００９６】
ＳＡ１８：印刷データ受取った制御部３は、記憶部４に保存したおもて面の印刷データを読出し、受取った裏面の印刷データと読出したおもて面の印刷データを付した印刷指令を印刷部９へ送出し、印刷部９からの印刷終了通知を待って待機する。
印刷指令を受取った印刷部９は、上記実施例１のステップＳ１７と同様にして、両面印刷を終えた用紙を排出し、その後に制御部３へ印刷終了通知を送出する。
印刷終了通知を受取った制御部３は、今回の両面表裏一体コピー処理を終了させてステップＳＡ１へ戻り、表示部７の表示画面に処理選択画面を表示して待機する。
【００９７】
ＳＡ１９：一方、上記ステップＳＡ６において、入力された綴じ位置が短辺綴じと認識した制御部３は、原稿位置算出部１２によって、入力された用紙サイズ、原稿サイズを基に、短辺綴じにおけるおもて面の載置位置および向きを算出する。
【００９８】
すなわち、原稿位置算出部１２は、原稿の縦方向の一方の側辺がコピー後に用紙の綴じ位置の反対側の短辺に沿う向きとするために、上記ステップＳＡ８と同様にして、原稿の形状を原稿ガラス１４の形状内に配置した載置位置の座標、原稿の向きを示す文字（本説明では「表」）からなる表示データを生成し、その表示データを制御部３へ送出する。はみ出し印刷が許容されている場合も同様である。
【００９９】
ＳＡ２０：載置位置の表示データを受取った制御部３は、その表示データを基に、表示部７の表示画面に、図１５に示す短辺綴じおもて面載置位置案内画面を表示してステップＳＡ２１へ移行する。
【０１００】
短辺綴じおもて面載置位置案内画面には、おもて面とする原稿の載置を促す旨の文言、上記ステップＳＡ２で入力された原稿サイズの形状が、用紙サイズの形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【０１０１】
利用者は、表示された案内図に従って、おもて面とする原稿の原稿面を原稿ガラス１４に接触させて載置し、操作部８のカーソルキー等によって「ＯＫ」ボタンを押下する。
その後のステップＳＡ２１〜ＳＡ２３の処理動作は、上記実施例１のステップＳ２０〜Ｓ２２の処理動作と同様であるので、その説明を省略する。
【０１０２】
ＳＡ２４：おもて面の印刷データを保存した制御部３は、原稿位置算出部１２によって、入力された用紙サイズ、原稿サイズを基に、短辺綴じにおける裏面の載置位置および向きを算出する。
【０１０３】
すなわち、原稿位置算出部１２は、原稿の縦方向の一方の側辺がコピー後に用紙の綴じ位置の反対側の短辺に沿う向きとする基データを取得するために、載置台６の原稿ガラス１４の基準位置１５に、コピー後に裏面となる原稿の上隅の一方を合わせ、原稿の縦方向の上辺を原稿ガラス１４の横目盛１７の方向に沿わせ、一方の側辺を縦目盛１６の方向に沿わせた、原稿の形状を原稿ガラス１４の形状内に配置した載置位置の座標、原稿の向きを示す文字（本説明では「裏」）からなる表示データを生成し、その表示データを制御部３へ送出する。
【０１０４】
ＳＡ２５：載置位置の表示データを受取った制御部３は、その表示データを基に、表示部７の表示画面に、図１６に示す短辺綴じ裏面載置位置案内画面を表示してステップＳＡ２６へ移行する。
【０１０５】
短辺綴じ裏面載置位置案内画面には、裏面とする原稿の載置を促す旨の文言、上記ステップＳＡ２で入力された原稿サイズの形状が、用紙サイズの形状内に配置され、原稿の向きを示す文字を原稿形状の中央部に配置した案内図、原稿の載置終了を指示するための「ＯＫ」ボタン、処理の取止めを指示するための「キャンセル」ボタン等が表示される。
【０１０６】
利用者は、表示された案内図に従って、裏面とする原稿の原稿面をおもて面と同じ向きにして、おもて面と同じ載置位置に載置し、操作部８のカーソルキー等によって「ＯＫ」ボタンを押下する。
【０１０７】
ＳＡ２６：短辺綴じ裏面載置位置案内画面の表示後に「ＯＫ」ボタンの押下を待って待機していた制御部３は、「ＯＫ」ボタンが押下されたときにステップＳＡ２７へ移行する。「ＯＫ」ボタンが押下されない場合は、短辺綴じ裏面載置位置案内画面を表示しながら「ＯＫ」ボタンの押下を待って待機する。
【０１０８】
ＳＡ２７：「ＯＫ」ボタンの押下を認識した制御部３は、読取部５に読取指令を送出し、読取部５は、読取センサ５ａをセンサ搬送部６ｂにより移動させて原稿ガラス１４上の裏面とする原稿を読取り、読取ったライン状データを制御部３へ送出する。
【０１０９】
ＳＡ２８：読取部５から原稿のライン状データを受取った制御部３は、そのライン状データを記憶部４に保存し、原稿移動量算出部２１によって、裏面の画像データを、上記ステップＳＡ２３で生成したおもて面の印刷データと表裏の位置を合わせて印刷するための移動量を算出する。
【０１１０】
すなわち、原稿移動量算出部２１は、上記ステップＳＡ２５で表示した裏面とする原稿の載置位置の座標位置を、原稿の縦方向の一方の側辺がコピー後に用紙の綴じ位置の反対側の短辺に沿う向きとなる座標位置にするために、載置位置の横方向の基準位置１５の反対側の角の横方向の座標位置（横座標という。）から、横目盛１７の用紙サイズ（本説明ではＡ６）の位置の横座標を減じて横方向の座標差を求め、この横方向の座標差を原稿移動量として制御部３へ送出する。はみ出し印刷が許容されている場合も同様である。
【０１１１】
ＳＡ２９：原稿移動量を受取った制御部３は、記憶部４に保存したライン状データを読出し、画像処理部１１によって、読出したライン状データと受取った原稿移動量を基に、裏面とする原稿の印刷データを生成する。
【０１１２】
すなわち、画像処理部１１は、ライン状データを繋ぎ合わせて画像データを形成し、形成した画像データの各横座標位置から原稿移動量を減じ、画像データの座標位置を横方向に平行移動させて上記実施例１の図１０に示した載置位置から読取った画像データと同等の画像データとし、移動させた画像データを、印刷部９の図示しない画像形成ユニット別に振分けた裏面の印刷データを生成し、その印刷データを制御部３へ送出する。
【０１１３】
ＳＡ３０：印刷データ受取った制御部３は、記憶部４に保存したおもて面の印刷データを読出し、受取った裏面の印刷データと読出したおもて面の印刷データを付した印刷指令を印刷部９へ送出し、印刷部９からの印刷終了通知を待って待機する。
【０１１４】
印刷指令を受取った印刷部９は、上記ステップＳＡ１８と同様にして、両面印刷を終えた用紙を排出し、その後に制御部３へ印刷終了通知を送出する。
印刷終了通知を受取った制御部３は、今回の両面表裏一体コピー処理を終了させてステップＳＡ１へ戻り、表示部７の表示画面に処理選択画面を表示して待機する。
このようにして、本実施例の複合機１による両面表裏一体コピー処理の処理動作が実行される。
【０１１５】
以上説明したように、本実施例では、上記実施例１と同様の効果に加えて、表裏とする原稿を同じ載置位置においても、両面コピーを行うときに、原稿サイズと用紙サイズと綴じ位置を基に、裏面とする原稿の座標位置を移動させるので、表裏の位置を合わせた両面コピーをより容易に行うことができる。
【０１１６】
なお、上記各実施例においては、裏面とする原稿を利用者が１８０度回転させて載置するとして説明したが、形成した裏面の画像データを制御部３により１８０度回転させるようにしてもよい。このようにすれば、利用者は表裏とする原稿を常に同じ位置に載置すること可能になる。
【０１１７】
また、上記各実施例においては、原稿サイズを入力するとして説明したが、おもて面とする原稿を読取ったときに、読取った原稿の形状と文字等の方向に基づいて、原稿サイズと原稿の向きを検出し、その検出結果に基づいて、裏面の載置位置を算出して表示するようにしてもよい。
【０１１８】
更に、上記各実施例においては、原稿サイズを入力するとして説明したが、読取った表裏の原稿の形状と文字等の方向に基づいて、原稿サイズとそれぞれの原稿の向きを検出し、その検出結果に基づいて、画像データを移動および／もしくは回転させることで、表裏の位置を合わせた両面コピーを行うようにしてもよい。
【符号の説明】
【０１１９】
１    複合機
３    制御部
４    記憶部
５    読取部
５ａ  読取センサ
５ｂ  センサ搬送部
６    載置台
７    表示部
８    操作部
９    印刷部
１１  画像処理部
１２  原稿位置算出部
１４  原稿ガラス
１５  原稿基準位置
１６  縦目盛
１７  横目盛
２１  原稿移動量算出部
【図１】
2019009526.tif 000003
【図２】
2019009526.tif 000004
【図３】
2019009526.tif 000005
【図４】
2019009526.tif 000006
【図５】
2019009526.tif 000007
【図６】
2019009526.tif 000008
【図７】
2019009526.tif 000009
【図８】
2019009526.tif 000010
【図９】
2019009526.tif 000011
【図１０】
2019009526.tif 000012
【図１１】
2019009526.tif 000013
【図１２】
2019009526.tif 000014
【図１３】
2019009526.tif 000015
【図１４】
2019009526.tif 000016
【図１５】
2019009526.tif 000017
【図１６】
2019009526.tif 000018